(57)【要約】【課題】体液の吸収速度が速い等の吸収性能の改善された吸収体を提供すること。【構成】本発明の吸収性物品用の吸収体１は、肌当接面側に吸水性又は液透過性の第１層２、非肌当接面側に第２層３を有する縦長のものである。第１層２は、吸水性ポリマー３２をさないか又は第２層３よりも少量の吸水性ポリマー３２を有しており、前記第２層３は、第１層２の非肌当接面側の面に粘着剤及び該粘着剤を介して固定された吸水性ポリマー３２を有しており、前記第２層の粘着剤は、吸収体の体液排泄位置１１の吸収体長手方向の前後及び左右両側に、それぞれ多重の筋状粘着部Ｆ，Ｂ，Ｒ，Ｌが形成されるように塗布されており、吸水性ポリマー３２は、該筋状粘着部に沿って筋状に固定されている。【選択図】図１
2010148786.tif 000002
【特許請求の範囲】
【請求項１】
肌当接面側に吸水性又は液透過性の第１層、非肌当接面側に第２層を有する縦長の吸収体であって、
前記第１層は、吸水性ポリマーを有さないか又は第２層よりも少量の吸水性ポリマーを有しており、前記第２層は、前記第１層の非肌当接面側の面に粘着剤及び該粘着剤を介して固定された吸水性ポリマーを有しており、
前記第２層の粘着剤は、吸収体の体液排泄位置の吸収体長手方向の前後及び左右両側に、それぞれ多重の筋状粘着部が形成されるように塗布されており、前記吸水性ポリマーは、該筋状粘着部に沿って筋状に固定されている、吸収性物品用の吸収体。
【請求項２】
前記第２層の粘着剤は、前記第１層に、該粘着剤の粘着性によって固定されている請求項１記載の吸収性物品用の吸収体。
【請求項３】
前記第１層は、シート状部材を含んでなり、前記第２層の粘着剤が、該シート状部材に塗布されている、請求項１又は２記載の吸収性物品用の吸収体。
【請求項４】
前記吸収体は吸収性物品に用いられ、該吸収性物品の非肌当接面側に配されたバックシートに前記第２層の粘着材が塗布されている、請求項１又は２記載の吸収性物品用の吸収体。
【請求項５】
請求項１〜４の何れかに記載の吸収体を具備する吸収性物品。
【発明の詳細な説明】
【技術分野】
【０００１】
本発明は、吸収体を具備する、使い捨ておむつ、生理用ナプキン、失禁パッド等の体液吸収物品用の吸収体に関するものであり、更に詳しくは、筋状に形成された粘着剤を介して吸水性ポリマーを固定した吸収体に関する。
【背景技術】
【０００２】
従来、生理用ナプキン、紙おむつ等吸収性物品の吸収体は、主に綿状パルプ、吸収紙及び吸水性ポリマーから構成されている。中でも吸水性ポリマーは、吸収容量が大きいこと及び液をゲル状に固めて一旦吸収した液を二度と外へ漏らさないという特性を持つことから、現在では、殆どの吸収性物品に用いられている。
【０００３】
吸水性ポリマーの撒布方法としては、吸水性ポリマーを吸収層の全域に均一に撒布したもの、あるいは吸収層の全域に均一に混合したもの、さらに撒布形状が模様状（長手方向に吸水性ポリマーの存在しない区域と、この区域の両側に吸水性ポリマーの存在する区域が配置されている）となったものが知られている（特許文献１参照）。
【０００４】
また、吸水性ポリマーは、その形状が粉末状である為、吸水性ポリマーが脱落（吸水性ポリマーが吸収物品から漏れでてくる）しやすいという技術的課題がある。吸水性ポリマーの脱落に関しては、吸収性を含めた製品性能上の致命的な問題となりうるため、吸水性ポリマーの脱落防止（固定化）を目的とした種々の先行技術が提案されており、特に粘着剤を用いて吸水性ポリマーを固定する技術があることが知られている（特許文献２参照）。
【０００５】
【特許文献１】特開平１０―１４９７７号公報
【特許文献２】特開平５−３８３５０号公報
【発明の開示】
【発明が解決しようとする課題】
【０００６】
従来の、吸水性ポリマーが吸収体の全域にわたって均一に撒布されている技術においては、体液が排泄されると、排泄された位置で最初に吸水性ポリマーは体液を吸収して膨潤し、そこでの吸収性能が低下する恐れがあった。その結果排泄された体液の漏れと肌への液戻りが起こり易いといった問題があった。
【０００７】
従って、本発明の目的は、上記の従来の吸収体の問題点を解決し、吸収性能の改善された吸収体を提供することにある。
【課題を解決するための手段】
【０００８】
本発明は、肌当接面側に吸水性又は液透過性の第１層、非肌当接面側に第２層を有する縦長の吸収体であって、前記第１層は、吸水性ポリマーを有さないか又は第２層よりも少量の吸水性ポリマーを有しており、前記第２層は、前記第１層の非肌当接面側の面に粘着剤及び該粘着剤を介して固定された吸水性ポリマーを有しており、前記第２層の粘着剤は、吸収体の体液排泄位置の吸収体長手方向の前後及び左右両側に、それぞれ多重の筋状粘着部が形成されるように塗布されており、前記吸水性ポリマーは、該筋状粘着部に沿って筋状に固定されている、吸収性物品用の吸収体を提供することにより前記目的を達成したものである。
【発明の効果】
【０００９】
本発明の吸収体によれば、体液の吸収速度や繰り返し吸収性能が向上される。
【発明を実施するための最良の形態】
【００１０】
本発明の第１〜第４実施形態の吸収体１（１Ａ〜１Ｄ）は、図１〜図４に示すように、何れも、肌当接面側に第１層２、非肌当接面側に第２層３を有する吸収体である。
第１、第３及び第４実施形態の吸収体１Ａ，１Ｃ，１Ｄにおける第１層２には、吸水性ポリマー３２が配されていない。第２実施形態の吸収体１Ｂにおける第１層２には、第２層３よりも少量の吸水性ポリマー３２が配されている。即ち、吸収体１Ｂにおける第１層２には、吸水性ポリマー３２が配されているが、第１層２中に含まれる吸水性ポリマー３２の総重量は、第２層３を形成する吸水性ポリマー３２の総重量よりも少ない量である。
【００１１】
第１〜第４実施形態の吸収体１Ａ〜１Ｄにおける第２層３は、図１〜図４に示すように、第１層２の非肌当接面側の面に塗布された粘着剤３１及び該粘着剤３１を介して固定された吸水性ポリマー３２を有している。
【００１２】
第１〜第４実施形態の吸収体１Ａ〜１Ｄにおける第２層３の粘着剤３１は、吸収体の体液排泄位置１１の吸収体長手方向（図中Ｘ方向）の前後及び左右両側に、それぞれ多重の筋状粘着部が形成されるように塗布されている。
より具体的には、第１及び第２実施形態の吸収体１Ａ，１Ｂにおける第２層３の粘着剤３１は、吸収体の体液排泄位置１１の吸収体長手方向（図中Ｘ方向）の前後及び左右両側に、それぞれ多重の筋状粘着部Ｆ，Ｂ，Ｒ，Ｌが形成されるように塗布されており、前後の筋状粘着部Ｆ，Ｂは、吸収体長手方向の前後に、それぞれ概ね幅方向に延びて形成されており、左右の筋状粘着部Ｒ，Ｌは、吸収体長手方向の左右両側に、それぞれ概ね長手方向に延びて形成されている。
【００１３】
第３及び第４実施形態の吸収体１Ｃ，１Ｄにおける第２層３の粘着剤３１は、図３，図４に示すように、吸収体の体液排泄位置１１の吸収体長手方向（図中Ｘ方向）の前側の左右両側及び後側の左右両側に、それぞれ多重の筋状粘着部ＦＲ，ＦＬ，ＢＲ，ＢＬが形成されるように塗布されている。多重の筋状粘着部ＦＬ，ＢＲは、それぞれ、図３，図４に示すように、右に傾斜して延びて形成されており、多重の筋状粘着部ＦＲ，ＢＬは、それぞれ、左に傾斜して延びて形成されている。多重の筋状粘着部ＦＬ，ＦＲ，ＢＬ，ＢＲは、図３，図４に示すように、全体視して、中心を共通にする相似形の３つのひし形を形成するように配されている。
【００１４】
図１、図２に示す吸収体１Ａ〜１Ｂにおいては、筋状粘着部Ｆ，Ｂ及び筋状粘着部Ｒ，Ｌは、互いに連結されて環状をなしている。筋状粘着部Ｆ，Ｂ，Ｒ，Ｌは、それぞれ、筋状に塗布された３本の粘着剤からなり、その３本の粘着剤それぞれに吸水性ポリマー３２が固定されている。
【００１５】
第１〜第４実施形態の吸収体１Ａ〜１Ｄにおける第２層３は、それぞれ、第１層２の非肌当接面側の面に、適度な粘着力を有する粘着剤３１を適度な密度で筋状に塗布した後、この粘着剤の上に吸水性ポリマー３２を撒布することによって得られる。
特に好ましい方法としては、粘着剤３１が筋状に塗布された、第１層２の非肌当接面側の面上に、吸水性ポリマー３２に吸水性ポリマー３２を撒布した後、粘着剤３１上に散布されずに固定されなかった吸水性ポリマー３２を除去する方法が挙げられる。粘着剤３１上に固定されなかった吸水性ポリマー３２を除去する方法は、吸水性ポリマー３２の散布面を下方に向けて固定されなかった吸水性ポリマー３２を落下させる方法（下方に向けた状態で振動させても良い）、吸引手段により吸引して除去する方法、これらを組み合わせた方法等が挙げられる。
【００１６】
上述した実施形態の吸収体１Ａ〜１Ｄを、吸収性物品の吸収体として使用した際の作用効果について説明する。本実施形態の吸収体１Ａ〜１Ｄにおいては、図１〜図５に示すように、吸収体の長手方向及び幅方向の略中央部が、着用者の液排泄部（膣口等）に対向配置される体液排泄位置１１となっており、該吸収体１Ａ〜１Ｄの体液排泄位置１１における第１層２の非肌当接面側の面には、粘着剤３１が塗布されていない。換言すれば、吸収体１Ａ〜１Ｃそれぞれの体液排泄位置１１には、第２層の粘着剤３１が存在しておらず、それによって固定される吸水性ポリマー３２も存在していない。
このように、体液排泄位置１１に吸水性ポリマー３２が少なくなされており、排泄された位置で、吸水性ポリマー３２は体液を吸収してゲル状とならず、継続して体液を受け入れることができる。そして、吸収体１Ａ〜１Ｄ内に取り込まれた液は、吸水性ポリマー３２に吸収されて安定に保持される。
【００１７】
また、図１〜４に示すように、吸水性ポリマー３２が体液排泄位置１１を除く部位において、複数の筋状に塗布された粘着剤によって固定されており、体液排泄位置１１における吸水性ポリマー３２のゲルブロッキングによる吸収阻害を起こし難くされている。特に薄型吸収体において、吸収阻害による拡散阻害を起こさず排泄部中央から体液を拡散させることができる。
【００１８】
本発明において、第１層はその使用用途（使用目的）によって様々な素材を選択することができる。例えば、吸収層として活用する場合には、パルプ繊維単独、又はパルプ繊維に熱融着繊維、高吸収性ポリマー等の材料を混合したもの、または嵩高で柔らかい不織布等のシート状のものを単独又は複合して用いることができる。
【００１９】
本発明に用いる吸水性ポリマー３２としては、従来の吸収性物品に用いられてきたものと同様のものを特に制限なく用いることができる。具体的には、デンプン系、セルロース系、合成ポリマー系が挙げられる。すなわち、デンプン−アクリル酸（塩）グラフト共重合体、デンプン−アクリル酸エチルグラフト共重合体のケン化物、デンプン−メタクル酸メチルグラフト共重合体のケン化物、デンプン−アクリルアミドグラフト共重合体のケン化物、デンプン−アクリロニトリル−２−アクリルアミド−２−メチルプロパンスルホン酸グラフト共重合体のケン化物、アクリル酸（塩）重合体、アクリル酸で架橋されたポリエチレンオキシド、ナトリウムカルボキシメチルセルローズの架橋物、ポリビニールアルコール−無水マレイン酸反応物の架橋物等である。
【００２０】
また、吸水性ポリマー３２の撒布量は、筋状粘着剤部に対して１０ｇ／ｍ2〜１５０ｇ／ｍ2であることが好ましい。１０ｇ／ｍ2より少ないと充分な吸収効果が得られず、また１５０ｇ／ｍ2より多いと吸水性ポリマー３２の層が厚くなりすぎ、吸水性ポリマー３２の膨潤時のゲルブロッキングによる吸収不良を起こしたり、粘着剤で固定しきれない吸水性ポリマー３２が漏れ出してしまう危険性がある。尚、筋状部分に固定された吸水性ポリマー３２が均一に分散された場合、５〜１００ｇ／ｍ2に相当する。
次に、上記吸水性ポリマー３２を固着させる粘着剤について説明する。
【００２１】
本発明における粘着剤は、製造時においては、吸水性ポリマー３２のパターンを形成する為、適度の粘着性を有し、吸水性ポリマー３２を固着させておく役割を果たすが、液吸収時においては、液の吸収を阻害することなく、吸水性ポリマー３２を液で十分に濡らし、かつ吸水性ポリマー３２の膨潤時においては、吸水性ポリマー３２の膨潤を阻害しないよう、固着が解き放たれる必要がある。上記のような機能を発現させる為には、まず、吸水性ポリマー３２の膨潤圧によって吸水性ポリマー３２と吸収素材との間の粘着剤による固着が解き放たれる必要がり、適度な引きはがし粘着力の設計が重要となる。このような特性を得る為には、粘着剤は、１８０°引きはがし粘着力（ＪＩＳＣ２１０７）が５００ｇ以上４０００ｇ以下であることが好ましい。また、吸収素材の持つ濡れ性及び拡散性を損なわずに吸水性ポリマー３２を固定する為には、粘着剤を吸収素材に面状に塗布するのではなく、筋状に塗布することが必要であり、又、その場合、粘着剤の占有面積率が１０％以上７０％以下の範囲で適度に密に詰まった状態で塗布することが吸水性ポリマー３２の性能を最大限に引き出していく上で肝要である。
【００２２】
なお、粘着剤から解き放たれた吸水性ポリマー３２は、膨潤によって形状が大きく（粒状では径が大きく、繊維状では繊維が太く）なっているため、粘着剤から解き放たれた状態であっても移動がおこりにくく、吸収性物品の外面に飛び出し難くされている。吸水性ポリマー３２は、吸収性の観点から粒状が好ましく、移動が起こり難い観点からは繊維状が好ましいが、いずれの場合においても吸収性物品の外面への飛び出しをより防止するために、第２層の非肌当接面側に吸収性のシート状物を配することが好ましい。
【００２３】
上記の範囲の物性を有する具体的な粘着剤としては、アクリル酸エステル共重合体、酢酸ビニル、アクリル酸エステル共重合体、エチレンオレフィン共重合体、エチレンブタジエン共重合体、石油系粘着樹脂等、種々の粘着剤等が使用可能であり、特にホットメルト粘着剤が好ましい。ホットメルト粘着剤としては、上記の物性を満たすものが好ましいが、特に制限を受けるものではない。
【００２４】
粘着剤の塗布方法としては、スプレー塗布等、一般的な粘着剤塗布方法が可能ではあるが、複雑な筋状パターンで塗布する場合には、特開２００８−２００１６９号公報で提案されている技術を用いることが望ましい。粘着剤の塗布量は、塗布方法によって異なるが、例えば、粘着剤として、ホットメルト粘着剤を使用し、塗布した場合には、１ｇ／ｍ2〜２００ｇ／ｍ2の塗布量が最適である。粘着剤を筋状に塗布する場合の塗布態様について更に説明する。
【００２５】
粘着剤の好ましい塗布パターンとしては、図５に示すように、吸収体中央部に吸水性ポリマー３２を配置しないよう、筋状・同心円状に配置したものが挙げられる。その他塗布パターンとしては、列状に配置したものや格子状に配置したものが挙げられる。
【００２６】
粘着剤を筋状に塗布する場合の線の幅は０．０３〜１０ｍｍが好ましく、０．０５〜５ｍｍがより好ましく、且つ各線間の非塗布部の幅は０．０５〜１０ｍｍとするのが好ましい。また、粘着剤の塗布部の好ましい占有面積は、前述の通り１０％〜７０％であり、好ましくは１５〜６５％、より好ましくは２０〜６０％である。また、粘着剤の塗布部と非塗布部が適当に存在するように配置されていることが好ましい。
このように形成されることで、吸水性ポリマー３２の固定による吸収性の向上だけでなく、粘着剤による液拡散抑制と留められた液が吸水性ポリマー３２へ移行し易くできる。また、シート部材に粘着剤を塗布した場合には、より液の抑止効果が得易い。
【００２７】
本発明の吸収体は、第１層が、シート状部材２４を含んでいることが好ましい。第１，第４実施形態の吸収体１Ａ，１Ｄには、図１，図４に示すように、第１層２がシート状部材２４を含んでいる態様を示す。第１，第４実施形態の吸収体の第１層２は、図１，図４に示す吸収体１Ａ，１Ｄに示すように、パルプ層からなる上層２３と、該上層２３に隣接して配置されたシート状部材２４とから形成されている。この他に、第１層２がシート状部材２４を含んでいる態様としては、第１層２が、シート状部材２４からなる態様等が挙げられる。なお、シート状部材２４のみにより第１層２が形成される形態においては、シート状部材２４によるドライ時／湿潤時によるよれ難さや、体の形状・動きへの追従性、さらに、吸収性物品加工時に加わる加圧力によって吸水性ポリマー３２から粘着剤が露出しバックシートへの固定性が得られやすい。
【００２８】
本発明の吸収体１の第１層２に用いるシート状部材２４には、合成繊維等からなる不織布（乾式／湿式）、パルプ、レーヨン、コットン、麻等の親水性繊維等からなる不織布、紙等のシート状物が使用可能である。また、シート状部材２４を用いることで、生産の際に粘着剤の塗布及び吸水性ポリマー３２の撒布を容易にすることができ、粘着剤を介して固定されている吸水性ポリマー３２以外（すなわち第２層の吸水性ポリマー３２以外）を取り除き易くなる。また、シート状部材２４に嵩のあるエアスルー不織布を使用した場合は、生産時に吸水性ポリマー３２の飛散を防ぎやすくできる。
【００２９】
次に、本発明の吸収体の好ましい製造方法について説明する。
本発明の吸収体１は、例えば以下に示す製造工程により製造することができる。
製造装置を作動させると、パルプ積繊機・粘着剤塗布装置によって、積繊されたパルプの所定の位置にホットメルト粘着剤等の粘着剤が所望のパターンに塗布される。そして、ポリマー撒布装置によって吸収体全域へ均一にポリマーが撒布される。その後、全体へ均一に撒布されたポリマーに対して、粘着剤塗布部以外に撒布された吸水性ポリマーを取り除く工程（ポリマーが脱落し易い状態に置く、あるいは吸引等によってポリマーを取り除く）を間に入れることで、実質的に粘着剤塗布部にのみポリマーが存在する状態を形成することができる。
【００３０】
本発明の吸収体１は、主に吸収性物品に用いられる。吸収性物品は、肌当接面側にトップシートと、非肌当接面側にバックシートと、これらシートの間に配置される筋状に形成された粘着剤を介して吸水性ポリマーを固定した吸収体とを含み、形成される。吸収体１の第２層３の粘着材は、吸収性物品の非肌当接面側に配されたバックシートに塗布されていてもよい。吸収性物品としては、吸収体１を具備する、生理用ナプキン、使い捨ておむつ、失禁パッド等の体液吸収物品に関する。
【００３１】
以上、本発明をその好ましい実施態様に基づき説明したが、本発明は、上述した実施形態に制限されず、適宜に変更可能である。
本発明においては、第１層を吸収保持性の少ないシート材料から構成することも可能である。このような構成としては、第１層に開口フィルムや不織布を使用することができ、第２層の下部に吸収保持性のパルプ層等を配することで、表面における拡散抑制・液通過性と第２層下部による液保持性に加え、第２層に固定されている吸水性ポリマー３２による素早い吸収保持性による低液戻り・低表面液残り効果を発現させることができる。
【実施例】
【００３２】
以下に、本発明の具体的な実施例を比較例と比較しながら詳細に説明する。下記表１は、後述する実施例又は比較例で得られた吸収体について、それぞれ下記の（試験の内容）に示す試験をした結果を示すものである。
【００３３】
【表１】
2010148786.tif 000003
【００３４】
（試験の内容）
（１）液戻り量の測定
７０ｍｍ×２００ｍｍに切り出した吸収体に疑似血液１０ｇを注入し、１分間放置する。その後、濾紙（アドバンテック東洋株式会社  ＦＩＬＴＥＲ  ＰＡＰＥＲ  直径７０ｍｍの円形状のもの）を１０枚重ね、５０ｇ／ｍ2の加重を加えて１分間放置した時、濾紙上に液戻りした量を測定する。
液戻り量＝（加圧後の濾紙の重量）−（加圧前（初期）の濾紙の重量）
【００３５】
（２）吸収速度の測定
７０ｍｍ×２００ｍｍに切り出した吸収体に疑似血液３ｇを注入する。その時、目視にて、疑似血液が注入されてから吸収体へ入り込んだ状態になるまでの時間を測定する。さらに１分後、疑似血液を３ｇ注入し、再び吸収時間を測定する。
一回目（秒）：１．７以下を○、１．７〜２．０を△、２．０以上を×
二回目（秒）：３．８以下を○、３．８〜４．５を△、４．５以上を×
【００３６】
〔実施例１〕
パルプ繊維を、積繊機の積繊ドラムの周面上に１６g／ｍ2の紙を通して吸引堆積させ、紙と坪量３００ｇ／ｍ2のパルプ繊維の積繊体を得た。
一方、１６g／ｍ2の紙に面積率２０％で３０g／ｍ2で筋状の粘着剤を塗布し、吸水性ポリマー〔日本触媒製  アクアリックＣＡ  Ｗ１５１（アクリル酸重合物  ナトリウム塩）〕を落下させて固定した。粘着剤の塗布パターンは、図５（ｆ）に示すパターンとし、筋状幅は３ｍｍであった。筋上部以外の部位の吸水性ポリマーを固定面を反転させることによって脱落させ、粘着剤によって固定された吸水性ポリマーは０．１２ｇであり、筋状粘着剤部分に４０g/ｍ2に相当する吸収性ポリマーが固定された。
次いで、紙とパルプの積繊体のパルプ面と紙の非塗工面を合わせ、本発明の吸収体１を得た。
【００３７】
〔実施例２〕
実施例１と同様にして紙と坪量３００ｇ／ｍ2のパルプ繊維の積繊体を得た。この積繊体に図２に示す図と同様、両側部分に２０ｇ／ｍ2の吸水性ポリマー〔日本触媒製  アクアリックＣＡ  Ｗ１５１（アクリル酸重合物  ナトリウム塩）〕を片側幅２０ｍｍで撒布し、ついで実施例１で用いたものと同様の面積率２０％で３０g／ｍ2で筋状の粘着剤を塗布し、４０ｇ／ｍ2の吸水性ポリマーを固定させた１６g／ｍ2の紙と実施例１と同様に重ね合わせて、本発明の吸収体２とした。
【００３８】
〔実施例３〕
実施例１と同様にして、紙と坪量３００ｇ／ｍ2のパルプ繊維の積繊体を得た。この積繊体に図３に示す図と同様、面積率２０％で１５０ｇ/ｍ2で筋状の粘着剤を塗布し、４０ｇ／ｍ2の吸水性ポリマーを固定させて、本発明の吸収体３とした。
【００３９】
〔実施例４〕
実施例１と同様にして紙と坪量３００ｇ／ｍ2のパルプ繊維の積繊体を得た。一方、２５ｇ／ｍ2の不織布に面積率２０％で１５０g／ｍ2で筋状の粘着剤を塗布し、４０ｇ／ｍ2の吸水性ポリマーを落下させて固定した。粘着剤の塗布パターンは、図４に示す図と同様のパターンとした。次いで、紙とパルプの積繊体のパルプ面と不織布の非塗工面を合わせ、本発明の吸収体４を得た。
【００４０】
取り除いた吸水性ポリマーの割合は、均一散布に要する吸水性ポリマーの重量より、粘着剤により固定される面積に相当する固定されている吸水性ポリマーの重量の差分を求め、この差分に対する取り除いた吸水性ポリマーの重量より百分率を計測して求める。
【００４１】
〔比較例１〕
上述した実施例１において、粘着剤を使わずに、吸水性ポリマーを吸収体へ均一に、撒布坪量４０ｇ／ｍ2で撒布し、比較例１の吸収体を得た。
【００４２】
〔比較例２〕
実施例１において、最も中央側に位置する環状の接着剤塗布部の内側全域にも、粘着剤を３０ｇ／ｍ2で塗布した以外は、実施例１と同様にして比較例２の吸収体を得た。
【００４３】
そして、実施例及び比較例で得られた各吸収体について、上述した方法により、吸収速度及び液戻り量についての試験を行い、それらの結果を前記表１に示した。表１に示す結果から明らかなように、本発明の吸収体は、繰り返し吸収に優れ、且つ吸水性ポリマーの吸収特性を最大限に発揮させることが可能である。
【００４４】
表１の結果から、本発明品は、吸収がすみやかで、吸収時間の改良が見られるとともに、第１層（上層）には吸収ポリマーを含まないため、液戻り性の劣化が実験前は懸念されたが、そのようなことはなく、従来の一般的な吸収体レベルの液戻り性能を維持することがわかった。
【図面の簡単な説明】
【００４５】
【図１】本発明の第１実施形態の吸収体を示す図で、（ａ）は体液排泄位置付近で切断した斜視図、（ｂ）は幅方向に沿う断面図、（ｃ）は第２層の粘着剤の塗布パターン及び該粘着剤に固定された吸水性ポリマーの配置パターンを示す図である。
【図２】本発明の第２実施形態の吸収体を示す図で、（ａ）は体液排泄位置付近で切断した斜視図、（ｂ）は幅方向に沿う断面図、（ｃ）は第２層の粘着剤の塗布パターン及び該粘着剤に固定された吸水性ポリマーの配置パターンを示す図である。
【図３】本発明の第３実施形態の吸収体を示す図で、（ａ）は幅方向に沿う断面図、（ｂ）は第２層の粘着剤の塗布パターン及び該粘着剤に固定された吸水性ポリマーの配置パターンを示す図である。
【図４】本発明の第４実施形態の吸収体を示す図で、（ａ）は幅方向に沿う断面図、（ｂ）は第２層の粘着剤の塗布パターン及び該粘着剤に固定された吸水性ポリマーの配置パターンを示す図である。
【図５】図５は、本発明の更に他の実施形態を示す図である。
【符号の説明】
【００４６】
１Ａ〜１Ｄ  吸収体
２  第１層
３  第２層
３１  粘着剤
３２  吸水性ポリマー
【図１】
2010148786.tif 000004
【図２】
2010148786.tif 000005
【図３】
2010148786.tif 000006
【図４】
2010148786.tif 000007
【図５】
2010148786.tif 000008